(57)【要約】【課題】  所定長さにカットしたサトウキビの健全茎と梢頭部とを、それらトラッシュと健全茎のハカマとを除去して、健全茎のみを袋詰めする一連のサトウキビ精脱システムの流れ作業中において、梢頭部の選別、裁断、飼料化を同時行うようにした。【解決手段】  所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、前記梢頭部選別区間で梢頭部を除去したサトウキビの健全茎を回収する袋詰部とからなる精脱システムにおいて、前記梢頭部選別区間から選別された梢頭部を裁断して家畜飼料とした。【選択図】図４
2010178752.tif 000002
【特許請求の範囲】
【請求項１】
所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、前記梢頭部選別区間で梢頭部を除去したサトウキビの健全茎を袋詰めする袋詰部とからなる一連のサトウキビ精脱システムにおいて、前記梢頭部選別区間から選別された梢頭部を裁断して家畜飼料とするサトウキビ梢頭部飼料化システム。
【発明の詳細な説明】
【発明の詳細な説明】
【技術分野】
【０００１】  本発明は、所定長さにカットしたサトウキビ茎を、そのトラッシュを除去して健全茎のみを回収する一連のサトウキビ精脱システムにおいて、サトウキビの梢頭部の選別、裁断、飼料化をこのシステム中において同時行うようにしたサトウキビ梢頭部飼料化システムに関するものである。
【背景技術】
【０００２】  例えば、特許文献１には、基端側を支点にして左右旋回と上下回動が可能に車体に支持されたアームに、その先端側から基端側に梢頭部を搬送する搬送手段を配置し、前記アームの先端側に、梢頭部の下端を切断するカッターを設けると共に該カッターより前方に逆八の字状に開いたかき集め手段を配置し、車体には、前記基端側に移送されて来た梢頭部を、細断装置側に取り込む取り込み手段を設けたサトウキビ梢頭部の収穫装置及び収穫方法が記載されている。【０００３】  そして、分蜜糖や黒砂糖の原料となるサトウキビの梢頭部を収穫する装置及び方法であって、サトウキビの梢頭部のみを収穫可能とすることで、牛馬などの飼料を大量に確保可能とし、しかも梢頭部が砂糖の原料となる茎部に混入するのを抑制する旨説明されている（要約の課題）。【０００４】  また、サトウキビ茎を収穫する前に、サトウキビの生えている畝に沿って車体を走行させ、かつ該車体からアームをサトウキビの梢頭部の下端に位置決めしながら梢頭部下端をカットした後、車体に搭載されている細断装置側に梢頭部を搬送し収穫する旨説明されている（段落００１７）。【０００５】  さらに、梢頭部は、その下端側から上下の回転ドラム間に送られ、処理室中に取り込まれて、内部の回転カッターで細かくカットされ、かつダクトに向けて、回転カッターの発する風力で送られ、カゴ中に溜められる旨説明されている（段落００４０）。【０００６】  しかしながら、この発明のサトウキビ梢頭部の収穫装置及び収穫方法においては、ハーベスタによりサトウキビ茎を一定長さにカットしたサトウキビの健全茎と梢頭部とを、それらトラッシュと健全茎のハカマとを除去して健全茎を袋詰めする一連のサトウキビの精脱システムにおいて梢頭部の選別、裁断、飼料化をこのシステム中において同時に行うものではないので、梢頭部の収穫と、サトウキビ茎の選別と、ハカマ等のトラッシュ除去等との二度手間、三度手間の作業が必要となる。【０００７】  また、この発明のサトウキビ梢頭部の収穫装置及び収穫方法においては、風力や機械的に複雑な装置を必要とし、安価な収穫装置及び収穫方法ではない。【０００８】  また、特許文献２には、あらかじめ略一定長さに切断されたサトウキビ切断片を略整列させて搬送する搬送手段と、同搬送手段により搬送されてくるサトウキビ切断片の内、梢頭部だけを他のサトウキビ切断片である健全茎部から選別する選別手段とを装備し、選別手段は一対の挟持体を具備し、両挟持体は梢頭部を挟持可能であるが健全茎部は挟持不可能な挟み角を形成する挟み角形成開始位置と、梢頭部の挟持が解除される開放角形成開始位置とを有して、開放角形成開始位置にて開放される梢頭部の放出落下位置と、開放角形成開始位置に至る前に放出される健全茎部の放出落下位置とを離隔させることができるようにしたサトウキビの梢頭部選別装置が記載されている。【０００９】  そして、この梢頭部選別装置においては、図５に示すように、搬送用チェーンコンベアにより砂糖キビ切断片が搬送されてくると、同搬送用チェーンコンベアの終端部において、左右一対の挟持体が、図５の左側面図にて反時計方向回りに回転しており、両挟持体のテーパー面間の角度は、搬送用チェーン��ンベアの終端部の下方側より上方側へ向けて回転移動する際に、開放角から漸次小さくなって、挟み角形成開始位置にて挟み角となる。・・・そして、この放出落下位置には梢頭部回収容器を配置しているため、同頭部回収容器内に梢頭部を確実に回収することができる旨説明されている（段落００３３〜００３５）【００１０】  しかしながら、これらの装置は梢頭部選別のために別途装置を必要とし、梢頭部の挟み角形成開始位置から解放角形成開始位置までを得る両挟持体のテーパー面間の角度等の設計及び構造が極めて複雑であり、サトウキビ精脱システム全体として安価に提供することができない。【００１１】  また、この発明の砂糖キビの梢頭部選別装置においては、ハーベスタによりサトウキビ茎を一定長さにカットしたサトウキビの健全茎と梢頭部とを、それらトラッシュ等を除去して健全茎を袋詰めする一連のサトウキビ全体の処理システムの流れ作業中において梢頭部の選別、裁断、飼料化を同時に行うものではないので二度手間、三度手間の作業が必要となる。【００１２】  特許文献１  特開平１１−２２０９２７号公報
特許文献２  特開２００１−３００４２８号公報
【発明が解決しようとする課題】
【００１３】  本発明は、ハーベスタ等によりサトウキビ茎を一定長さにカットしたサトウキビの健全茎と梢頭部とを、それらトラッシュと健全茎のハカマとを除去して健全茎のみを回収する一連のサトウキビ精脱システムにおいて、梢頭部の選別、裁断、飼料化を該システム中で同時行うことができ、風力や機械的に複雑な選別装置を必要とせず安価提供することができるサトウキビ梢頭部飼料化システムを提供することにある。
【課題を解決する手段】
【００１４】  請求項１の発明は、所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、前記梢頭部選別区間で梢頭部を除去したサトウキビの健全茎を袋詰めする袋詰部とからなる精脱システムにおいて、前記梢頭部選別区間から選別された梢頭部を裁断して家畜飼料とするサトウキビ梢頭部飼料化システムを提供するものである。
【００１５】  この発明においては、ハーベスタ等によりサトウキビ茎を一定長さにカットしたサトウキビの健全茎と梢頭部とを、それらトラッシュと健全茎のハカマとを除去して健全茎のみを袋詰めする一連のサトウキビ精脱システムの流れ作業中において、梢頭部の選別、裁断、飼料化を同時行うことができ、風力や機械的に複雑な選別装置を必要とせず安価提供することができるサトウキビ梢頭部飼料化システムを提供することができる。
【発明を実施するための形態】
【００１６】  以下に本発明の一実施形態を図面に基づき説明する。図１はサトウキビ精脱システムの概略全体平面図であり、図２は図１のＩ−Ｉ線視図、図３は図１のＩＩ−ＩＩ線視図、図４は図１のＩＩＩ−ＩＩＩ線視図である。
【００１７】  ハーベスタにより所定長さに裁断されたサトウキビ茎Ａ１（図５）はホッパー１に貯留される。このサトウキビ茎Ａ１はホッパー１より送り装置２を介してサトウキビのトラッシュを除去するトロンメル３に間欠的に順次供給される。このトロンメル３において、サトウキビの健全茎Ａ２とトウキビ茎Ａ１の周囲に付着するハカマＢ（図６）等のトラッシュを除去する。
【００１８】  トロンメル３は、図７に示すように筒状態の回転体であり、内面平滑な樹脂材料、例えば、塩化ビニールであり、前記トロンメル３にトラッシュの排出方向（矢印Ｘ）へ送風する送風機４を設け、該トロンメルをサトウキビ茎の排出方向へ約４．５度の角度Ｙで低くなるよう傾斜状に設けている。この角度Ｙは３．２〜８．０度の範囲で低くなるよう傾斜状に設けることができる。好ましくは４．０〜６．０度の範囲である。上記内面平滑な樹脂材料、例えば、塩化ビニールとした理由は、サトウキビ茎の両端切断部Ａ４、Ａ４（図６）がつぶれないようにしたもので、サトウキビ茎の両端切断部Ａ４、Ａ４が金属面等との接触（トロンメルの回転によりサトウキビ茎Ａ１が上方から下方に落下したときに生ずる）によりつぶれてその部分からの腐敗の進行が極めて速くなる。
【００１９】  図８に示す如く、このトロンメル３の内周面にはサトウキビ茎Ａ１の排出配列方向に平行なブレード５・・・を設け、このブレード５・・・のサトウキビ接触辺にサトウキビハカマＢを剥取する波型刃Ｍを形成している。
【００２０】  前記ブレード５・・・の立上幅Ｌは５〜８０ｍｍで、波型刃Ｍ先端が湾曲形状Ｎをなし、波型刃ＭのピッチＯが５〜５０ｍｍで、波型刃Ｍの深さＰが３〜１５ｍｍである。好ましくは、前記立上幅Ｌは１５〜５０ｍｍで、波型刃Ｍ先端はサトウキビ茎の節の湾曲Ａ３（図６）に近いか、それより小さい湾曲形状Ｎとなしており、波型刃ＭのピッチＯは１０〜２０ｍｍで、波型刃Ｍの深さＰが５〜１０ｍｍである。また、ブレード５・・・は、トロンメルの回転によりサトウキビ茎Ａ１が上方から下方に落下したときに生ずる金属面（ブレード）との接触を防止するため回転方向に４列以上形成しない方が好ましい。
【００２１】  トロンメル３で除去されたハカマＢ等のトラッシュは第１送風機４及び第２送風機７（図２）の風力によりトラッシュ排出場６へ排出される。一方トラッシュが除去されたサトウキビの健全茎Ａ２・・・と梢頭部Ｃ（図９）は送り装置８を介して梢頭部選別区間９（コンベア）に送られる。
【００２２】  梢頭部選別区間９では、サトウキビの健全茎Ａ２・・・を最終送り装置１０へ送る一方、梢頭部Ｃを人手により選別して梢頭部送り装置１１へ供給する。この梢頭部選別区間から選別された梢頭部Ｃは梢頭部送り装置１１を介して家畜飼料製造部１２へ送られ、そこで梢頭部Ｃの裁断等を行い家畜の飼料を製造する。これにより、このシステムと一体的に梢頭部Ｃの飼料化、食品化が可能となる。製造された家畜飼料はトラック１３の荷台に積まれ搬送される。
【００２３】  一方、サトウキビの健全茎Ａ２・・・は最終送り装置１０を介して袋詰部１４へ送られ、そこで袋詰されてクレーン（図示せず）によりトラックの荷台に積み込まれる。２つの袋詰枠体１４、１４は内部に袋１６、１６設け、例えば、図１に示すように、底部にレール１５、１５を設けて移動可能に形成し、交互に袋詰めできるようにしている。
【発明の効果】
【００２４】  この発明においては、ハーベスタ等によりサトウキビ茎を一定長さにカットしたサトウキビの健全茎と梢頭部とを、それらトラッシュと健全茎のハカマとを除去して健全茎のみを袋詰めする一連のサトウキビ精脱システムにおいて、梢頭部の選別、裁断、飼料化を該システムで同時行うことができ、風力や機械的に複雑な別途の選別装置を必要とせず安価に提供することができるサトウキビ梢頭部飼料化システムを提供することができる。
【図面の簡単な説明】
【００２５】
【図１】  サトウキビ精脱システム全体の概略説明図
【図２】  図１のＩ−Ｉ線視図
【図３】  図１のＩＩ−ＩＩ線視図
【図４】  図１のＩＩＩ−ＩＩＩ線視図
【図５】  ハカマの付着した状態を示すサトウキビ茎の写真
【図６】  ハカマを除去した状態を示すサトウキビ茎の写真
【図７】  トラッシュ除去用トロンメル一部断面説明図
【図８】  ブレード部分拡大図
【図９】  サトウキビ梢頭部の写真
【符号の説明】  １          ホッパー
３          トロンメル
４          送風機
５          ブレード
６          トラッシュ排出場６
９          梢頭部選別区間
１０          最終送り装置１０
１１          梢頭部送り装置
１２          家畜飼料製造部
１４          袋詰枠体
Ａ１          サトウキビ茎
Ａ２          サトウキビの健全茎
Ａ３          サトウキビ茎の節の湾曲
Ａ４          サトウキビ茎の両端切断部
Ｂ          ハカマ
Ｃ          梢頭部
Ｘ          トラッシュの排出方向
Ｙ          トロンメルのサトウキビ茎排出方向への角度
Ｌ          ブレードの立上幅
【図１】
2010178752.tif 000003
【図２】
2010178752.tif 000004
【図３】
2010178752.tif 000005
【図４】
2010178752.tif 000006
【図５】
2010178752.tif 000007
【図６】
2010178752.tif 000008
【図７】
2010178752.tif 000009
【図８】
2010178752.tif 000010
【図９】
2010178752.tif 000011